(57)【要約】【課題】  本発明は、ヒンジピンとピン受け機構との連結操作性を向上させるとともに、ピン受け機構を簡単な構成にすることを目的とする。【解決手段】  本発明に係るパチンコ機のヒンジ装置におけるピン受け機構２５は、ピン受け片２９と、ピン押え部材３４と、そのピン押え部材３４に設けられた押圧力受け部３４ｒとを有しており、ピン受け片２９の凹部３１は、ヒンジピンを軸受部３２までスムーズに導けるように構成されており、ヒンジピンが軸受部３２と嵌合する過程でそのヒンジピンの押圧力がピン押え部材３４の押圧力受け部３４ｒに加わると、その押圧力によりピン押え部材３４が弾性力に抗して軸受部３２の入口３２ｅを開く方向にスライドし、ヒンジピンが軸受部３２と嵌合して押圧力受け部３４ｒから外れると、ピン押え部材３４が弾性力により軸受部３２の入口３２ｅを塞ぐ方向にスライドすることを特徴とする。【選択図】      図１
2007135754.tif 000002
【特許請求の範囲】
【請求項１】
扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置であって、
前記ピン受け機構は、
ほぼ水平な状態で前記外枠の前方に突出し、前記ヒンジピンが側方から係合できるように構成された凹部を備え、前記凹部の最奥に設けられた軸受部の位置で前記ヒンジピンを回転可能に支持するピン受け片と、
前記ピン受け片に対して前後スライド可能な状態で支持されており、弾性力で前記ピン受け片における軸受部の入口を塞ぐ位置に保持されているピン押え部材と、
前記ピン押え部材に設けられており、そのピン押え部材が前記軸受部の入口を塞ぐ位置にあるときに、前記軸受部に押し込まれようとする前記ヒンジピンの外周面の押圧力を受けるように構成された押圧力受け部とを有しており、
前記ピン受け片の凹部は、前記ヒンジピンを前記軸受部までスムーズに導けるように構成されており、
前記ヒンジピンが前記軸受部と嵌合する過程でそのヒンジピンの押圧力が前記ピン押え部材の押圧力受け部に加わると、その押圧力により前記ピン押え部材が前記弾性力に抗して前記軸受部の入口を開く方向にスライドし、前記ヒンジピンが前記軸受部と嵌合して前記押圧力受け部から外れると、前記ピン押え部材が前記弾性力により前記軸受部の入口を塞ぐ方向にスライドすることを特徴とするパチンコ機のヒンジ装置。
【請求項２】
請求項１に記載されたパチンコ機のヒンジ装置であって、
ピン押え部材が弾性力に抗して軸受部の入口を開くときには前方にスライドし、前記ピン押え部材が弾性力で軸受部の入口を閉じる位置まで戻るときには後方にスライドすることを特徴とするパチンコ機のヒンジ装置。
【請求項３】
請求項１又は請求項２に記載されたパチンコ機のヒンジ装置であって、
ピン押え部材はガイド棒と長孔とからなる連結機構を介して、その長孔の寸法分だけ前後スライド可能な状態でピン受け片に連結されており、
さらに、前記ピン押え部材には位置決め用開口が形成されており、その位置決め用開口に前記ピン受け片に形成された前後方向に延びる位置決め用のガイド突起が挿通されていることを特徴とするパチンコ機のヒンジ装置。
【請求項４】
請求項１〜請求項３に記載されたパチンコ機のヒンジ装置であって、
ピン押え部材には、そのピン押え部材を弾性体の力に抗してピン受け片の軸受部の入口を開く方向にスライドさせるためのレバー部が設けられており、
前記ピン押え部材が前記軸受部の入口を塞ぐ位置にあって、前枠が閉じられているときに、前記レバー部は前枠と外枠の前面との間に挟まれるように構成されていることを特徴とするパチンコ機のヒンジ装置。
【発明の詳細な説明】
【技術分野】
【０００１】
本発明は、扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置に関する。
【背景技術】
【０００２】
パチンコ機のヒンジ装置に関しては様々な提案がなされている。
例えば、特許文献１に記載のヒンジ装置は、図７（Ａ）に示すように、外枠１０の上隅部にピン受け機構１００を備えている。ピン受け機構１００は、ほほ水平な状態で外枠１０の前方に突出するピン受け片１０２を有している。ピン受け片１０２の先端部分には、前枠１２のヒンジピン２２が前方から嵌合できるように形成された平面視鉤型の凹部１０４が設けられている。凹部１０４は略逆Ｌ字形に形成されており、最奥部分でヒンジピン２２を回転可能に支持できるように構成されている（図７（Ｂ）参照）。また、ピン受け機構１００は、ピン受け片１０２に対して前後スライド可能に装着されたピン押え部材１０５を備えている。ピン押え部材１０５は、ピン受け片１０２の凹部１０４からのヒンジピン２２の外れ止めを図る部材であり、図７（Ｂ）（Ｃ）に示すように、凹部１０４の入口を塞ぐ棒状のピン押え本体１０５ｍと、ピン押え本体１０５ｍから側方に突出したＵ字形のフック部１０５ｆとから構成されている。そして、ピン押え本体１０５ｍが凹部１０４の入口を塞いだ状態で、そのフック部１０５ｆが凹部１０４の最奥部分に嵌合したヒンジピン２２に対して後方から係合できるように構成されている。さらに、ピン押え部材１０５の基端部には、そのピン押え部材１０５のスライド範囲を規制するストッパ用レバー１０８が連結されている。また、ピン受け機構１００には、ピン押え部材１０５をピン受け片１０２の凹部１０４の入口を塞ぐ位置に保持する弾性体（図示省略）が設けられている。
【０００３】
前枠１２側のヒンジピン２２と外枠１０側のピン受け機構１００とを連結させるには、先ず、図７（Ｃ）に示すように、ヒンジピン２２を前方からピン受け片１０２の凹部１０４の入口にまっすぐ押し込みながら、そのヒンジピン２２でピン押え部材１０５を前記弾性体の力に抗して後方にスライドさせる。次に、図７（Ｂ）に示すように、ヒンジピン２２を凹部１０４の平面視鉤型の形状に沿って最奥部分まで横移動させる。これによって、ヒンジピン２２が凹部１０４の最奥部分で回転可能に支持されるとともに、ヒンジピン２２がピン押え部材１０５の先端から外れるようになる。この結果、そのピン押え部材１０５が弾性体の力で凹部１０４の入口を塞ぐ位置まで前方に戻されるとともに、ピン押え部材１０５のフック部１０５ｆが後方からヒンジピン２２の外周面に掛けられる。この状態で、ヒンジピン２２の外れ止めが図られて、ヒンジピン２２とピン受け機構１００との連結が完了する。
【０００４】
【特許文献１】特開平１０−３１４４１２号公報
【発明の開示】
【発明が解決しようとする課題】
【０００５】
しかし、上記したヒンジ装置では、前枠１２側のヒンジピン２２を前方からまっすぐピン受け片１０２の凹部１０４の入口に押し込み、次に凹部１０４の形状に沿って最奥部分まで横移動させる方式のため、二段階の操作が必要である。また、ピン押え部材１０５は、ピン受け片１０２の凹部１０４の入口を塞ぐだけではなく、ヒンジピン２２の外周面に掛けられるフック部１０５ｆを備えているため、形状が複雑である。さらに、ストッパ用レバー１０８でピン押え部材１０５のスライド範囲を規制する構成のため、動作機構が複雑で部品点数が多く、組立て工数が増加する。
本発明は、上記問題点を解決するためになされたものであり、本発明の技術的課題は、ヒンジピンとピン受け機構との連結操作性を向上させることは勿論、ピン受け機構を簡単な構成にすることで、組立て工数の削減を図ることである。
【課題を解決するための手段】
【０００６】
上記した課題は、各請求項の発明によって解決される。
請求項１の発明は、扉状の前枠の上隅部に固定される構造で、その前枠の回転中心となるヒンジピンを有するピン側固定部材と、前記前枠を支持する外枠の上隅部に固定される構造で、前記ピン側固定部材のヒンジピンを回転可能に支持するピン受け機構とを備えるパチンコ機のヒンジ装置であって、前記ピン受け機構は、ほぼ水平な状態で前記外枠の前方に突出し、前記ヒンジピンが側方から係合できるように構成された凹部を備え、前記凹部の最奥に設けられた軸受部の位置で前記ヒンジピンを回転可能に支持するピン受け片と、前記ピン受け片に対して前後スライド可能な状態で支持されており、弾性力で前記ピン受け片における軸受部の入口を塞ぐ位置に保持されているピン押え部材と、前記ピン押え部材に設けられており、そのピン押え部材が前記軸受部の入口を塞ぐ位置にあるときに、前記軸受部に押し込まれようとする前記ヒンジピンの外周面の押圧力を受けるように構成された押圧力受け部とを有しており、前記ピン受け片の凹部は、前記ヒンジピンを前記軸受部までスムーズに導けるように構成されており、前記ヒンジピンが前記軸受部と嵌合する過程でそのヒンジピンの押圧力が前記ピン押え部材の押圧力受け部に加わると、その押圧力により前記ピン押え部材が前記弾性力に抗して前記軸受部の入口を開く方向にスライドし、前記ヒンジピンが前記軸受部と嵌合して前記押圧力受け部から外れると、前記ピン押え部材が前記弾性力により前記軸受部の入口を塞ぐ方向にスライドすることを特徴とする。
なお、ピン押え部材が軸受部の入口を塞ぐとは、ヒンジピンが軸受部から外れない程度に前記入口を塞ぐことを意味しており、前記入口に若干の隙間がある状態でも入口を塞ぐという概念に含まれるものとする。
【０００７】
本発明によると、ピン受け機構（ピン受け片）の凹部は、前枠のヒンジピンを最奥の軸受部までスムーズに導けるように構成されており、そのヒンジピンが前記凹部の軸受部に押し込まれる過程で、そのヒンジピンの外周面がピン押え部材の押圧力受け部を押圧する。これによって、ピン押え部材が弾性力に抗してピン受け片の軸受部の入口を開く方向にスライドする。そして、ヒンジピンがピン受け片の軸受部と嵌合してピン押え部材の押圧力受け部から外れると、そのピン押え部材が弾性力により前記軸受部の入口を塞ぐ方向にスライドし、ヒンジピンとピン受け片との連結が完了する。
即ち、前枠のヒンジピンを外枠の側方からピン受け機構（ピン受け片）の凹部の軸受部に押し込むことで、前枠のヒンジピンと外枠のピン受け機構との連結がワンタッチで自動的に行われる。このため、前枠のヒンジピンと外枠のピン受け機構との連結操作が簡単になる。
さらに、本発明によると、ピン受け片の凹部の最奥に設けられた軸受部の位置でヒンジピンを回転可能に支持する構成であり、ピン押え部材は前記軸部の入口を塞いでヒンジピンの外れ防止を図るものである。即ち、ピン押え部材は、軸受部の入口を塞ぐためだけのものであり、従来のように、ヒンジピンの外周面に掛けられるフック機能は有していない。このため、ピン押え部材の形状が複雑化せず、製作が容易になる。さらに、ピン押え部材の形状が複雑化しないため、このピン押え部材をスライド可能に支持する構成も簡単なものになる。即ち、ピン受け機構の構成が簡単なものになる。
【０００８】
請求項２の発明によると、ピン押え部材が弾性力に抗して軸受部の入口を開くときには前方にスライドし、前記ピン押え部材が弾性力で軸受部の入口を閉じる位置まで戻るときには後方にスライドすることを特徴とする。
請求項３の発明によると、ピン押え部材はガイド棒と長孔とからなる連結機構を介して、その長孔の寸法分だけ前後スライド可能な状態でピン受け片に連結されており、さらに、前記ピン押え部材には位置決め用開口が形成されており、その位置決め用開口に前記ピン受け片に形成された前後方向に延びる位置決め用のガイド突起が挿通されていることを特徴とする。
即ち、ガイド棒と長孔、及び位置決め用開口とガイド突起とにより、ピン押え部材をピン受け片に対して前後スライド可能な状態で連結する構成のため、両者の連結機構の構成が簡単である。
【０００９】
請求項４の発明によると、ピン押え部材には、そのピン押え部材を弾性体の力に抗してピン受け片の軸受部の入口を開く方向にスライドさせるためのレバー部が設けられており、ピン押え部材が前記軸受部の入口を塞ぐ位置にあって、前枠が閉じられているときに、前記レバー部は前枠と外枠の前面との間に挟まれるように構成されている。
このように、前枠が閉じられている状態では、レバー部が前枠と外枠の前面との間に挟まれるため、レバー部を動かすことはできない。このため、ピン押え部材が凹部の入口を塞ぐ位置から動くことがなく、不正操作によりヒンジピンがピン受け片の凹部から外されるような不具合が発生し難い。
【発明の効果】
【００１０】
本発明によると、前枠のヒンジピンと外枠のピン受け機構との連結操作が簡単になるのは勿論、ピン受け機構の構成が簡単なものになり、これによって組立て工数を削減することができる。
【発明を実施するための最良の形態】
【００１１】
［実施形態１］
以下、図１〜図６に基づいて本発明の実施形態１に係るパチンコ機のヒンジ装置の説明を行なう。ここで、図１は本実施形態に係るヒンジ装置のピン受け機構を下方から見た分解斜視図であり、図２は本実施形態に係るヒンジ装置のピン受け機構を斜め上方あるいは斜め下方から見た斜視図である。図３〜図５はヒンジ装置のヒンジピンとピン受け機構との連結手順を表す平面図であり、図６は本実施形態に係るヒンジ装置を備えるパチンコ機の前枠、外枠の全体斜視図である。
【００１２】
＜パチンコ機の概要について＞
パチンコ機は、図６に示すように、略方形枠状に形成されて本体ケースとなる外枠１０を備えている。外枠１０は、上板１０ｕと、左右の側板１０ｓと、下板１０ｄとにより構成されている。外枠１０の向かって左側には、上下に設けられたヒンジ装置２０，４０を介して遊技盤等の支持枠１２（以下、前枠１２という）が扉状に開閉可能に取付けられている。前枠１２は、図示されていない遊技盤や制御装置等、パチンコ機の主要部品が取付けられる枠であり、その前枠１２の前面にヒンジ機構（図示省略）を介して片開き状にガラス枠（図示省略）が取付けられる。また、このガラス枠の下部側に、玉受け皿等を有する前板（図示省略）が片開き状に取付けられる。
【００１３】
＜上下のヒンジ装置２０，４０について＞
図６に示すように、下側のヒンジ装置４０は外枠１０の支持プレート１０ｐ上に立設されたヒンジピン４２と、前枠１２の受けプレート１２ｒに形成されたピン孔４４とから構成されている。ヒンジ装置４０のヒンジピン４２とピン孔４４との連結は、前枠１２を持ち上げて下ろす際に、受けプレート１２ｒのピン孔４４に外枠１０の支持プレート１０ｐのヒンジピン４２を通すようにして行なう。
上側のヒンジ装置２０は前枠１２の上部プレート１２ｕ上に立設されたヒンジピン２２と、外枠１０の左上隅部に固定されたピン受け機構２５とから構成されている。ヒンジ装置２０のヒンジピン２２とピン受け機構２５との連結は、下側のヒンジ装置４０の連結が完了した状態で、後記するように、ヒンジピン２２を左側方からピン受け機構２５に押し込むことにより、自動的に行なわれる。
即ち、前枠１２の上部プレート１２ｕが本発明のピン側固定部材に相当する。
【００１４】
＜上側のヒンジ装置２０のピン受け機構２５について＞
上側のヒンジ装置２０を構成するピン受け機構２５は、図１、図２に示すように、外枠１０の上隅部に固定される固定板２６を備えている。固定板２６は、鉄板のプレス成形品であり、上板部２７と側板部２８とにより略Ｌ字形に形成されている。そして、固定板２６の上板部２７がネジ等により外枠１０の上面に固定され、側板部２８が同じくネジ等により外枠１０の外側面に固定されている（図６参照）。
固定板２６の上板部２７は、外枠１０の上面に面接触する接触部分２７ｓと、外枠１０から前方にほぼ水平状態で突出する突出部分２７ｔとを備えている。上板部２７の接触部分２７ｓは略正方形状に形成されており、その前後幅及び左右幅は外枠１０の上面の前後幅とほぼ等しい寸法に設定されている。上板部２７の突出部分２７ｔは、前後に長い略長方形状に形成されており、その左右幅は接触部分２７ｓの左右幅のほぼ半分程度の値に設定されている。
【００１５】
上板部２７の突出部分２７ｔの前端から右端にかけては、図１、図２等に示すように、その突出部分２７ｔに対して直角下側に折り曲げられた縦板部２７ｋが設けられており、その縦板部２７ｋの下端に上板部２７の突出部分２７ｔと向かい合うように折り曲げられた板状のピン受け片２９が設けられている。
ピン受け片２９は、上板部２７の突出部分２７ｔとほぼ等しい形状に成形されている。
ピン受け片２９には、図１、図２（Ｂ）、図３等に示すように、その左端で開放された通路状の凹部３１が切り欠かれており、その凹部３１の最奥部位に軸受部３２が形成されている。軸受部３２は、ヒンジピン２２を軸心回りに回転可能に支持する部分であり、半円部３２ｊと入口部３２ｅとにより、平面略Ｕ字形に形成されている。そして、軸受部３２の半円部３２ｊの半径寸法がヒンジピン２２の半径寸法にほぼ等しく設定されており、その軸受部３２の入口部３２ｅの幅寸法がヒンジピン２２の外径寸法にほぼ等しく設定されている。
軸受部３２はピン受け片２９の中央前部に形成されており、凹部３１はヒンジピン２２をピン受け片２９の左端から軸受部３２まで斜め前方にスムーズに導けるように構成されている（図３（Ａ）等参照）。
【００１６】
上板部２７の突出部分２７ｔとピン受け片２９との間には、そのピン受け片２９の軸受部３２と嵌合したヒンジピン２２の外れ防止を図るピン押え部材３４が装着されている。
ピン押え部材３４はプレス成形品であり、図１に示すように、そのピン押え部材３４の厚み寸法が上板部２７の突出部分２７ｔとピン受け片２９との間の隙間寸法とほぼ等しくなるように、ピン押え部材３４の周縁が部分的に一定の幅寸法Ｗで折り曲げられている。また、ピン押え部材３４の中央には、前後方向に延びる長孔３４ｈが形成されており、その長孔３４ｈにガイド棒３８が通されている（図３（Ａ）等参照）。ガイド棒３８は、上下両端がそれぞれ上板部２７の突出部分２７ｔとピン受け片２９とに固定されている。このため、ピン押え部材３４は長孔３４ｈの長さ分だけピン受け片２９に対して前後スライドが可能になる。また、ピン押え部材３４は、一部がピン受け片２９から後方に突出しており、そのピン押え部材３４の後端にピン押え部材３４を手動で手前にスライドさせるためのレバー部３６が直角に折り曲げ成形されている。そして、ピン押え部材３４のレバー部３６の上部に位置決め用開口３６ｈが形成されている。ピン押え部材３４の位置決め用開口３６ｈには、ピン受け片２９の後端部から後方に突出形成されたガイド突起２９ｘが挿通されている（図２（Ｂ）参照）。これにより、ピン押え部材３４は、ピン受け片２９のガイド突起２９ｘに沿って前後スライドができるようになる。
【００１７】
ピン押え部材３４の先端右側には、図１、図３（Ａ）に示すように、バネ受け３４ｕが形成されており、そのバネ受け３４ｕにコイルスプリング３８ｂの先端が掛けられている。そして、コイルスプリング３８ｂの他端がピン受け片２９の後端部に形成されたバネ受け２９ｕ（図３（Ａ）参照）に掛けられている。コイルスプリング３８ｂは、ピン押え部材３４を後退限位置に保持できるように、そのピン押え部材３４に対して後方への引っ張り力を付与するように付勢されている。
また、ピン押え部材３４の先端中央には、図１、図３（Ａ）に示すように、そのピン押え部材３４が後退限位置にある状態で、ピン受け片２９の軸受部３２の入口部３２ｅを塞ぐ軸受閉鎖部３４ｓが突出形成されている。軸受閉鎖部３４ｓは、図３等に示すように、平面扇形に形成された突出部分の下側外周縁に形成されている。そして、軸受閉鎖部３４ｓが軸受部３２の入口部３２ｅを塞いだ状態で、その軸受閉鎖部３４ｓは軸受部３２の半円部３２ｊとほぼ連続するようになる。これにより、ピン受け片２９の軸受部３２と嵌合したヒンジピン２２はその軸受部３２の半円部３２ｊとピン押え部材３４の軸受閉鎖部３４ｓとに囲まれて、軸心回りに回転可能に支持される。なお、この状態でヒンジピン２２の上端は平面扇形に形成されたピン押え部材３４の突出部分の下側に入り込むようになる。
【００１８】
さらに、ピン押え部材３４の軸受閉鎖部３４ｓが軸受部３２の入口部３２ｅを塞いだ状態で、図３（Ａ）に示すように、その軸受閉鎖部３４ｓ及びその軸受閉鎖部３４ｓの左側に位置する先端左側部３４ｒは、ピン受け片２９の軸受部３２の入口部分に前方から突出するようになっている。このため、ヒンジピン２２をピン受け片２９の軸受部３２に嵌合させる過程で、そのヒンジピン２２が左側方から凹部３１に押し込まれると、図３（Ｂ）に示すように、そのヒンジピン２２の外周面がピン押え部材３４の先端左側部３４ｒ、軸受閉鎖部３４ｓを後方から押圧するようになる。これによって、ピン押え部材３４はコイルスプリング３８ｂのバネ力に抗して前方にスライドし、そのピン押え部材３４の軸受閉鎖部３４ｓがピン受け片２９の軸受部３２の入口部３２ｅを開くようになる。そして、ヒンジピン２２がピン受け片２９の軸受部３２まで導かれて（軸受部３２と嵌合して）、そのヒンジピン２２の外周面がピン押え部材３４の先端左側部３４ｒから外れると、ピン押え部材３４はコイルスプリング３８ｂのバネ力によって後退限位置まで戻される。これによって、ピン押え部材３４の軸受閉鎖部３４ｓがピン受け片２９の軸受部３２の入口部３２ｅを塞ぐようになる。
【００１９】
＜本実施形態に係るヒンジ装置２０の連結動作について＞
次に、本実施形態に係るパチンコ機のヒンジ装置２０を使用して前枠１２の上隅部に固定されたヒンジピン２２と外枠１０の上隅部に固定されたピン受け機構２５とを連結する手順について説明する。
先ず、前枠１２の下隅部のピン孔４４と外枠１０の下隅部のヒンジピン４２とが連結された状態で、前枠１２が開方向に回転させられる。このとき、外枠１０のピン受け機構２５では、図３（Ａ）に示すように、ピン押え部材３４がコイルスプリング３８ｂのバネ力で後退限位置、即ち、軸受閉鎖部３４ｓがピン受け片２９の軸受部３２の入口部３２ｅを塞ぐ位置に保持されている。
次に、図３（Ｂ）に示すように、外枠１０のピン受け機構２５の凹部３１に対して前枠１２のヒンジピン２２がその外枠１０の左側方から押し込まれる。これによって、ヒンジピン２２はピン受け片２９の凹部３１にガイドされて軸受部３２の入口部３２ｅまで導かれる。このとき、ヒンジピン２２の外周面がピン押え部材３４の先端左側部３４ｒ、及び軸受閉鎖部３４ｓを押圧することで、図４（Ａ）に示すように、ピン押え部材３４はコイルスプリング３８ｂのバネ力に抗して前方にスライドする。これによって、そのピン押え部材３４の軸受閉鎖部３４ｓがピン受け片２９の軸受部３２の入口部３２ｅを開き、ヒンジピン２２はピン受け片２９の軸受部３２と嵌合するようになる。ヒンジピン２２がピン受け片２９の軸受部３２と嵌合すると、ヒンジピン２２の外周面がピン押え部材３４の先端左側部３４ｒ等から外れ、ピン押え部材３４はコイルスプリング３８ｂのバネ力によって後退限位置まで戻される。この結果、図４（Ｂ）に示すように、ピン押え部材３４の軸受閉鎖部３４ｓがピン受け片２９の軸受部３２の入口部３２ｅを塞ぎ、ヒンジピン２２とピン受け機構２５とが連結される。
即ち、ピン押え部材３４の先端左側部３４ｒ及び軸受閉鎖部３４ｓが本発明におけるピン押え部材の押圧力受け部に相当する。
【００２０】
このようにして、ヒンジピン２２とピン受け機構２５とが連結されると、図５に示すように、前枠１２が閉じられる。そして、前枠１２が完全に閉じられた状態で、ピン押え部材３４のレバー部３６が外枠１０の前面と前枠１２との間に挟まれるようになる。
また、ヒンジ装置２０の連結を解除する場合には、前枠１２が開かれた状態で、ピン押え部材３４のレバー部３６を手前側に引くようにする。このように、ピン押え部材３４のレバー部３６が手前側に引かれることで、ピン押え部材３４がコイルスプリング３８ｂのバネ力に抗して前方にスライドし、ピン受け片２９の軸受部３２の入口部３２ｅが開かれる。これによって、ヒンジピン２２をピン受け機構２５から外すことができるようになる。
【００２１】
＜上記ヒンジ装置２０の利点について＞
本実施形態に係るヒンジ装置２０によると、ピン受け機構２５（ピン受け片２９）の凹部３１は、前枠１２のヒンジピン２２を最奥の軸受部３２までスムーズに導けるように構成されており、そのヒンジピン２２が凹部３１の軸受部３２に押し込まれる過程で、そのヒンジピン２２がピン押え部材３４の先端左側部３４ｒ、軸受閉鎖部３４ｓ（押圧力受け部）を押圧する。これによって、ピン押え部材３４がコイルスプリング３８ｂのバネ力に抗してピン受け片２９の軸受部３２の入口部３２ｅを開く方向（前方）にスライドする。そして、ヒンジピン２２がピン受け片２９の軸受部３２と嵌合してピン押え部材３４の先端左側部３４ｒ（押圧力受け部）から外れると、そのピン押え部材３４がコイルスプリング３８ｂのバネ力により軸受部３２の入口部３２ｅを塞ぐ方向（後方）にスライドする。これによって、ヒンジピン２２とピン受け片２９との連結が完了する。
即ち、前枠１２のヒンジピン２２を外枠１０の左側方からピン受け機構２５（ピン受け片２９）の凹部３１の軸受部３２に押し込むことで、前枠１２のヒンジピン２２と外枠１０のピン受け機構２５との連結がワンタッチで自動的に行われる。このため、前枠１２のヒンジピン２２と外枠１０のピン受け機構２５との連結操作が簡単になる。
【００２２】
さらに、ピン受け片２９の凹部３１の最奥に設けられた軸受部３２の位置でヒンジピン２２を回転可能に支持する構成であり、ピン押え部材３４は軸受部３２の入口部３２ｅを塞いでヒンジピン２２の外れ防止を図るものである。即ち、ピン押え部材３４は、軸受部３２の入口部３２ｅを塞ぐためだけのものであり、従来のように、ヒンジピン２２の外周面に掛けられるフック機能は有していない。このため、ピン押え部材３４の形状が複雑化せず、製作が容易になる。さらに、ピン押え部材３４の形状が複雑化しないため、このピン押え部材３４をスライド可能に支持する構成も簡単なものになる。即ち、ピン受け機構２５の構成も簡単なものになる。これによって、ピン受け機構２５の組立て工数を削減することができる。
また、ガイド棒３８と長孔３４ｈ、及び位置決め用開口３６ｈとガイド突起２９ｘとにより、ピン押え部材３４をピン受け片２９に対して前後スライド可能な状態で連結する構成のため、両者の連結機構の構成が簡単になる。
また、前枠１２が閉じられている状態では、ピン押え部材３４のレバー部３６が前枠１２と外枠１０の前面との間に挟まれるため、レバー部３６を動かすことはできない。このため、ピン押え部材３４が軸受部３２の入口部３２ｅを塞ぐ位置から動くことがなく、不正操作によりヒンジピン２２がピン受け片２９の軸受部３２から外されるような不具合が発生し難い。
【００２３】
＜本実施形態に係るヒンジ装置２０の変更例について＞
なお、本実施形態に係るヒンジ装置２０では、ピン押え部材３４の位置決め用開口３６ｈにピン受け片２９のガイド突起２９ｘを挿通させることにより、ピン押え部材３４をピン受け片２９に対して前後スライド可能な状態に保持する例を示したが、例えば、突条と溝との組み合わせにより、ピン押え部材３４をピン受け片２９に対して前後スライド可能に保持することも可能である。
また、ピン押え部材３４の先端のバネ受け３４ｕとピン受け片２９の後端部のバネ受け２９ｕとの間にコイルスプリング３８ｂを掛けて、ピン押え部材３４を後退限位置まで引っ張って保持する例を示したが、ピン押え部材３４の先端とピン受け片２９の先端の縦板部２７ｋとの間にバネを介在させて、ピン押え部材３４を後退限位置まで押圧する構成も可能である。
【図面の簡単な説明】
【００２４】
【図１】本発明の実施形態１に係るヒンジ装置のピン受け機構を下方から見た分解斜視図である。
【図２】前記ヒンジ装置のピン受け機構を斜め上方から見た斜視図（Ａ図）、及び斜め下方から見た斜視図（Ｂ図）である。
【図３】前記ヒンジ装置のヒンジピンとピン受け機構との連結手順を表す平面図（Ａ図，Ｂ図）である。
【図４】前記ヒンジ装置のヒンジピンとピン受け機構との連結手順を表す平面図（Ａ図，Ｂ図）である。
【図５】前記ヒンジ装置のヒンジピンとピン受け機構との連結手順を表す平面図である。
【図６】本発明の実施形態１に係るヒンジ装置を備えるパチンコ機の前枠、外枠の全体斜視図である。
【図７】従来のヒンジ装置の連結動作を表す斜視図（Ａ図）、及び平面図（Ｂ図，Ｃ図）である。
【符号の説明】
【００２５】
１０      外枠
１２      前枠
１２ｕ    上部プレート（ピン側固定部材）
２２      ヒンジピン
２５      ピン受け機構
２９      ピン受け片
２９ｘ    ガイド突起
３１      凹部
３２      軸受部
３２ｅ    入口部
３４      ピン押え部材
３４ｓ    軸受閉鎖部（押圧力受け部）
３４ｒ    先端左側部（押圧力受け部）
３４ｈ    長孔
３６      レバー部
３６ｈ    位置決め用開口
３８      ガイド棒
【図１】
2007135754.tif 000003
【図２】
2007135754.tif 000004
【図３】
2007135754.tif 000005
【図４】
2007135754.tif 000006
【図５】
2007135754.tif 000007
【図６】
2007135754.tif 000008
【図７】
2007135754.tif 000009